【手続補正書】
【提出日】平成27年1月23日(2015.1.23)
【手続補正１】
【補正対象書類名】特許請求の範囲
【補正対象項目名】全文
【補正方法】変更
【補正の内容】
【特許請求の範囲】
【請求項１】
画像誘導医療処置をシミュレーションするためのコンピュータによる方法であって、
コンピュータ装置が、特定の患者に関する医療画像データを受信するステップと、
前記コンピュータ装置が、画像化システムから受信された画像データを含まない前記特定の患者の健康管理記録に関するメタデータを受信するステップと、
前記コンピュータ装置が、前記医療画像データ及び前記メタデータに基づいて前記特定の患者の解剖学的構造の患者特有のデジタル画像ベースモデルを生成するステップであって、前記患者特有のデジタル画像ベースモデルが、前記メタデータに基づいて、シミュレートされた患者特有の生理的な態様を示す、ステップと、
前記コンピュータ装置を用いて前記画像誘導医療処置のシミュレーションにおける前記患者特有のデジタル画像ベースモデルを用いるステップと、
を含む方法。
【請求項２】
前記メタデータに基づいて前記デジタル画像ベースモデルを操作することを含む請求項１に記載の方法。
【請求項３】
前記メタデータの少なくとも一部に基づいて、前記画像誘導医療処置で用いられる少なくとも１つの物理的な医療ツールを提案するステップと、
ユーザからの前記物理的な医療ツールの選択を受信するステップと、
選択された前記物理的な医療ツールのシミュレートされたモデルを提供するステップと、を含み、
前記シミュレーションは、前記物理的な医療ツールの前記シミュレートされたモデルを操作することを含み、前記シミュレートされた患者特有の生理的な態様は、前記メタデータに基づいて前記物理的な医療ツールの前記シミュレートされたモデルと情報をやり取りすることを含む請求項１に記載の方法。
【請求項４】
前記メタデータの少なくとも一部に基づいて、投与するための物質の投薬量を提案するステップと、
物質の投薬量の選択を受信するステップと、を含み、
前記シミュレートされた患者特有の生理的な態様は、前記メタデータに基づいて、選択された物質の投薬量に反応することを含む請求項１に記載の方法。
【請求項５】
前記シミュレーションは、前記メタデータの少なくとも一部に基づいて、アラーム条件を検出すること、及び前記アラーム条件をユーザへ示すことを含む請求項１に記載の方法。
【請求項６】
受信された前記医療画像データ及び前記メタデータに基づいて、人工的な医療画像データを生成するステップを含む請求項１に記載の方法。
【請求項７】
前記医療画像データは、コンピュータトモグラフィ（ＣＴ）システム、磁気共鳴画像（ＭＲＩ）システム、Ｘ‐線システム、陽電子射出断層撮影（ＰＥＴ）システム、超音波システム、画像保存通信システム（ＰＡＣＳ）アーカイブ及び蛍光透視システムの１つから受信される請求項１に記載の方法。
【請求項８】
処置計画としてのコンピュータシミュレーション処置をデータベースに記憶するステップを含み、前記記憶するステップは、患者の主要なメタデータ及びデジタル  イメージング  アンド  コミュニケーションズ（ＤＩＣＯＭ）ヘッダの少なくとも１つである請求項１に記載の方法。
【請求項９】
コンピュータにより実行される命令を記憶する一時的でないコンピュータ可読記憶媒体を含む物品であって、前記命令は、
画像化システムから受信された画像データを含まない特定の患者の健康管理記録に関する医療画像データを受信し、
前記特定の患者に関するメタデータを受信し、
前記医療画像データ及び前記メタデータに基づいて前記特定の患者の解剖学的構造の患者特有のデジタル画像ベースモデルを生成し、前記患者特有のデジタル画像ベースモデルが、前記メタデータに基づいて、シミュレートされた患者特有の生理的な態様を示し、
前記患者特有のデジタル画像ベースモデルを用いて画像誘導医療処置のシミュレーションを実行することを前記コンピュータに実行させる物品。
【請求項１０】
前記シミュレーションを実行することは、前記メタデータに基づいて前記デジタル画像ベースモデルを操作することを含む請求項９に記載の物品。
【請求項１１】
実行されたときに前記命令は、さらに、
前記コンピュータが、前記メタデータの少なくとも一部に基づいて、前記画像誘導医療処置で用いられる少なくとも１つの物理的な医療ツールを提案し、
ユーザからの前記物理的な医療ツールの選択を受信し、
前記コンピュータが、選択された前記物理的な医療ツールのシミュレートされたモデルを提供することを前記コンピュータに実行させ、
前記シミュレーションは、前記物理的な医療ツールの前記シミュレートされたモデルを操作することを含み、前記シミュレートされた患者特有の生理的な態様は、前記メタデータに基づいて前記物理的な医療ツールの前記シミュレートされたモデルと情報をやり取りすることを含む請求項９に記載の物品。
【請求項１２】
実行されたときに前記命令は、さらに、
前記コンピュータが、前記メタデータの少なくとも一部に基づいて、投与するための物質の投薬量を提案し、
物質の投薬量の選択を受信することを前記コンピュータに実行させ、
前記シミュレートされた患者特有の生理的な態様は、前記メタデータに基づいて、選択された物質の投薬量に反応することを含む請求項９に記載の物品。
【請求項１３】
実行されたときに前記命令は、さらに、
前記メタデータの少なくとも一部に基づいて、アラーム条件を検出すること、及び前記アラーム条件をユーザへ示すことを前記コンピュータに実行させる請求項９に記載の物品。
【請求項１４】
実行されたときに前記命令は、受信された前記医療画像データ及び前記メタデータに基づいて、人工的な医療画像データを生成することを前記コンピュータに実行させる請求項９に記載の物品。
【請求項１５】
前記医療画像データは、コンピュータトモグラフィ（ＣＴ）システム、磁気共鳴画像（ＭＲＩ）システム、Ｘ‐線システム、陽電子射出断層撮影（ＰＥＴ）システム、超音波システム、画像保存通信システム（ＰＡＣＳ）アーカイブ及び蛍光透視システムの１つから受信される請求項９に記載の物品。
【請求項１６】
実行されたときに前記命令は、処置計画としてのコンピュータシミュレーション処置をデータベースに記憶することを前記コンピュータに実行させ、前記記憶することは、患者の主要なメタデータ及びデジタル  イメージング  アンド  コミュニケーションズ（ＤＩＣＯＭ）ヘッダの少なくとも１つである請求項９に記載の物品。
【請求項１７】
記憶された命令を有するコンピュータ可読記憶媒体であって、コンピュータ装置により実行されたときに、前記命令は、
前記コンピュータ装置が、特定の患者に関する医療画像データを受信し、
画像化システムから受信された画像データではない前記特定の患者の健康管理記録に関するメタデータを受信し、
前記医療画像データ及び前記メタデータに基づいて前記特定の患者の解剖学的構造の患者特有のデジタル画像ベースモデルを生成することを前記コンピュータ装置に実行させ、前記患者特有のデジタル画像ベースモデルは、前記メタデータに基づいて、シミュレートされた患者特有の生理的な態様を示す、コンピュータ可読記憶媒体。
【請求項１８】
実行されたときに前記命令は、前記デジタル画像ベースモデルを用いて画像誘導処置のコンピュータシミュレーションを行うことを前記コンピュータ装置に実行させる請求項１７に記載のコンピュータ可読記憶媒体。